(57)【要約】  【課題】  一回の搬送にて両面の画像を読み取るような構成であっても、簡単な構成にて表面と裏面とにおいて異なる倍率での読取りを実現できる両面読取装置を提供する。  【解決手段】  読取モード選択キー５ａにて両面読取処理が選択されており、倍率設定キー５ｂにて表面と裏面とで異なる倍率が設定されている場合、表面の設定倍率に応じた解像度と裏面の設定倍率に応じた解像度との最小公倍数の解像度に基づいて原稿の搬送速度を決定し、読取部２にて、その決定した搬送速度にて原稿を一回搬送させて表面及び裏面の画像を読み取り、読取りによって得られる画像データに対して倍率に応じた解像度変換（読取りラインの間引き）を施す。このような表面及び裏面に対して異なる倍率での読取処理が可能な第１モードと、表面及び裏面に対して所定の同じ倍率でしか読取処理が行えない第２モードとのいずれかをモード切換キー５ｃで切り換える。【選択図】      図１
2005072760.tif 000002
【特許請求の範囲】
【請求項１】
搬送手段による原稿の一回の搬送にて前記原稿の表面及び裏面の画像を読み取る両面読取装置において、原稿の表面の倍率及び裏面の倍率の設定を夫々独立に受け付ける受付手段と、受け付けられた表面の倍率及び裏面の倍率が異なる場合に、夫々の倍率に応じた解像度の最小公倍数の解像度に基づいて前記搬送手段による原稿の搬送速度を決定する手段と、決定した搬送速度にて原稿を搬送して得られる表面の画像データ及び裏面の画像データの少なくとも一方に解像度変換を施す手段とを備えることを特徴とする両面読取装置。
【請求項２】
原稿の表面及び裏面の画像を、前記受付手段にて受け付けられた夫々異なる倍率で読み取る読取処理と、原稿の表面及び裏面の画像を同じ倍率で読み取る読取処理とを切り換える手段を更に備えることを特徴とする請求項１記載の両面読取装置。
【発明の詳細な説明】
【技術分野】
【０００１】
本発明は、原稿の一回の搬送にて原稿の表面及び裏面の画像を読み取る両面読取装置に関する。
【背景技術】
【０００２】
ファクシミリ装置、ディジタル複写機などの読取装置において、原稿の表面及び裏面の画像を読み取れるようにしたものがある。このような両面読取装置における従来の一般的な構成では、１回目の原稿の搬送にてその表面の画像を読み取った後、原稿の表裏を反転させて再度原稿を搬送させてその裏面の画像を読み取るようにしている。両面読取装置では、原稿の表面と裏面とにおいて異なる倍率を設定することが可能であり、上述した構成のものでは、表面の倍率に応じた解像度に基づいて表面の画像を読み取る際の搬送速度を設定し、裏面の倍率に応じた解像度に基づいて裏面の画像を読み取る際の搬送速度を設定することにより、表面及び裏面夫々での倍率を容易に調整することができる。
【０００３】
また、上述したように二回の搬送を行うのではなく、一回の搬送にて原稿の表面及び裏面の画像を読み取るように構成した両面読取装置も知られている（例えば、特許文献１乃至３参照）。このような両面読取装置では、原稿搬送路の下方に設けたＣＣＤイメージセンサを含む光学ユニットにて原稿の表面の画像を読み取り、原稿搬送路の上方に設けたＣＩＳ（Contact Image Sensor）を含む光学ユニットにて原稿の裏面の画像を読み取る構成とすることにより、原稿の表裏反転動作を行うことなく、一回の搬送にて原稿の表面及び裏面の画像を読み取ることができる。
【特許文献１】特開平７−１７７３０８号公報
【特許文献２】特開２００２−７７５９６号公報
【特許文献３】特開２００２−３１４８０１号公報
【発明の開示】
【発明が解決しようとする課題】
【０００４】
このような一回の搬送にて両面の画像を読み取る両面読取装置にあっても、表面と裏面とで異なる倍率での読取りを行いたいというユーザの要望があるが、表面読取り時と裏面読取り時とで原稿の搬送速度を変更できる二回搬送の両面読取装置とは異なり、一回の搬送で同時に表面及び裏面の画像を読み取るため搬送速度を相違させる手法は適用できない。そこで、表面及び裏面に対して異なる倍率による読取りを実現できる一回搬送の両面読取装置の開発が望まれている。
【０００５】
本発明は斯かる事情に鑑みてなされたものであり、一回の搬送にて両面の画像を読み取るような構成であっても、表面と裏面とにおいて異なる倍率での読取りを簡単に行える両面読取装置を提供することを目的とする。
【課題を解決するための手段】
【０００６】
請求項１に係る両面読取装置は、搬送手段による原稿の一回の搬送にて前記原稿の表面及び裏面の画像を読み取る両面読取装置において、原稿の表面の倍率及び裏面の倍率の設定を夫々独立に受け付ける受付手段と、受け付けられた表面の倍率及び裏面の倍率が異なる場合に、夫々の倍率に応じた解像度の最小公倍数の解像度に基づいて前記搬送手段による原稿の搬送速度を決定する手段と、決定した搬送速度にて原稿を搬送して得られる表面の画像データ及び裏面の画像データの少なくとも一方に解像度変換を施す手段とを備えることを特徴とする。
【０００７】
請求項１にあっては、表面と裏面とで設定された倍率が異なる場合、夫々の倍率に応じた解像度の最小公倍数の解像度に基づく原稿の搬送速度を決定し、その決定した搬送速度にて原稿を一回搬送させて表面及び裏面の画像を読み取り、読取りによって得られる画像データに対して倍率に応じた解像度変換（読取りラインの間引きなど）を施す。よって、簡単な構成にて、表面及び裏面で異なる所望の倍率での読取処理を行える。
【０００８】
請求項２に係る両面読取装置は、請求項１において、原稿の表面及び裏面の画像を、前記受付手段にて受け付けられた夫々異なる倍率で読み取る読取処理と、原稿の表面及び裏面の画像を同じ倍率で読み取る読取処理とを切り換える手段を更に備えることを特徴とする。
【０００９】
請求項２にあっては、請求項１のような表面と裏面とで倍率が異なる読取処理と、原稿の表面と裏面とで同じ倍率でしか画像を読み取れない読取処理とを切り換える。よって、異なる倍率での読取りが不要である場合に、高速で読取りを完了できるため、読取処理を迅速に行える。
【発明の効果】
【００１０】
本発明では、表面及び裏面夫々の設定倍率にに応じた２種の解像度の最小公倍数の解像度に基づく原稿の搬送速度にて原稿を一回搬送させて表面及び裏面の画像を読み取り、読取りによって得られる画像データに対して倍率に応じた解像度変換を施すようにしたので、一回の搬送にて原稿の表面及び裏面の画像を読み取る構成の両面読取装置でも、表面及び裏面で異なる所望の倍率での読取処理を簡単に行うことができる。
【００１１】
また、本発明では、表面と裏面とで倍率が異なる読取処理と、原稿の表面と裏面とで同じ倍率でしか画像を読み取れない読取処理とを切り換えれるようにしたので、異なる倍率での読取りが不要である場合に、高速で読取りを完了できて読取処理を迅速に行うことができる。
【発明を実施するための最良の形態】
【００１２】
以下、本発明をその実施の形態を示す図面を参照して具体的に説明する。図１は、本発明の両面読取装置としてのファクシミリ複合装置１００の構成を示すブロック図である。
【００１３】
ファクシミリ複合装置１００は、制御部１，読取部２，記録部３，表示部４，操作部５，符号化・復号化部６，ＲＯＭ７，ＲＡＭ８，画像メモリ９，モデム１０，ＮＣＵ（Network Control Unit）１１，ＰＣインタフェース部１２などを備えている。ファクシミリ複合装置１００は、読取部２にて原稿を読み取って画像データを得る読取機能、読み取った画像データ、ファクシミリ通信により受信した画像データ、またはＰＣインタフェース部１２を介してＰＣから受信した画像データに応じた画像を記録部３にて記録する記録機能、及び、読み取った画像データまたは受信した画像データをファクシミリ送信する送信機能を併せ持っている。
【００１４】
制御部１は、具体的にはＣＰＵで構成されており、バス１３を介してファクシミリ複合装置１００の上述したようなハードウェア各部と接続されていて、それらを制御すると共に、ＲＯＭ７に格納された制御プログラムに従って、種々のソフトウェア的機能を実行する。
【００１５】
読取部２は、例えばＣＣＤイメージセンサ，ＣＩＳを利用して原稿を読み取り、読み取った画像データを出力する。また、読取部２は、一回の原稿の搬送にて、その原稿の表面及び裏面の画像の読取りが可能である。図２は、読取部２の構成を示す概略図である。読取部２は、ＡＤＦ（Auto Document Feeder）２０と、ＡＤＦ２０の下方に設けられた第１光学ユニット４０と、ＡＤＦ２０の内部に設けられた第２光学ユニット５０とを有する。
【００１６】
ＡＤＦ２０内には、原稿給紙口３１から原稿排紙口３２まで一連の原稿搬送路２９が形成されている。原稿給紙口３１の外側にはシート状の複数の原稿を載置する原稿トレイ２１が設けられており、原稿トレイ２１には、その上に載置された原稿の長さを検知するセンサ４１，４１が設けられている。原稿給紙口３１の近傍には、ピックアップローラ２２及び分離ローラ２３が上流側からこの順に配設されている。分離ローラ２３の原稿搬送路２９対向側には分離パッド２４が設けられており、ピックアップローラ２２と分離ローラ２３との間には原稿の有無を検知するセンサ４２が設けられ、分離ローラ２３の少し下流側には原稿の幅を検知するセンサ４３が設けられている。
【００１７】
原稿搬送路２９の中流域から下流域にかけての複数箇所に、原稿の搬送を制御するレジストローラ２５が設けられている。これらのレジストローラ２５の回転は、モータ３０によって駆動されている。そして、レジストローラ２５の回転速度、つまり原稿の搬送速度は、制御部１からの制御信号に基づくモータ３０の回転駆動に応じて制御される。
【００１８】
原稿搬送路２９の中流域にはその上側に第１原稿圧接ローラ２６が設けられている。また、原稿搬送路２９を挟んで第１原稿圧接ローラ２６に対向する位置には、光源，ＣＣＤイメージセンサ等を含む第１光学ユニット４０が配設されている。そして、この第１原稿圧接ローラ２６及び第１光学ユニット４０が対向する位置が表面読取位置であり、搬送された原稿の表面の画像がこの表面読取位置で第１光学ユニット４０によって読み取られるようになっている。また、この表面読取位置の上流側には、片面読取り時及び両面読取り時に原稿の先端（または後端）を検知するセンサ４４が設けられている。
【００１９】
原稿搬送路２９の下流域にはその下側に第２原稿圧接ローラ２７が設けられている。また、原稿搬送路２９を挟んで第２原稿圧接ローラ２７に対向する位置には、光源，ＣＩＳ等を含む第２光学ユニット５０が配設されている。そして、この第２原稿圧接ローラ２７及び第２光学ユニット５０が対向する位置が裏面読取位置であり、搬送された原稿の裏面の画像がこの裏面読取位置で第２光学ユニット５０によって読み取られるようになっている。また、この裏面読取位置の上流側には、両面読取り時に原稿の先端（または後端）を検知するセンサ４５が設けられている。更に、原稿排紙口３２の近傍には排紙ローラ２８が設けられている。
【００２０】
このような構成を有する読取部２にあって、原稿トレイ２１に載置された原稿は、原稿給紙口３１からピックアップローラ２２及び分離ローラ２３により１枚ずつ分離されて搬送され、原稿搬送路２９を通り、レジストローラ２５によって更に搬送される。そして、片面（表面）のみの画像を読み取るモード（片面読取モード）が選択されている場合には、第１光学ユニット４０によって、搬送される原稿の表面の画像が読み取られる。一方、両面（表面及び裏面）の画像を読み取るモード（両面読取モード）が選択されている場合には、第１光学ユニット４０によって、搬送される原稿の表面の画像が読み取られた後、更に、第２光学ユニット５０によって、搬送される原稿の裏面の画像が読み取られる。
【００２１】
記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。表示部４は、液晶表示装置またはＣＲＴディスプレイ等の表示装置であり、ファクシミリ複合装置１００の動作状態を表示したり、ユーザへ操作入力を促す画面を表示したり、送信すべく読み取った原稿の画像データ、他のファクシミリ装置またはＰＣから送信された画像データなどの表示を行う。
【００２２】
操作部５は、ファクシミリ複合装置１００を操作するために必要な文字キー，テンキー，短縮ダイヤルキー，ワンタッチダイヤルキー，各種のファンクションキーなどを備えている。操作部５は、ファンクションキーとして、片面読取モードまたは両面読取モードのいずれかをユーザが選択するための読取モード選択キー５ａと、倍率をユーザが設定するための倍率設定キー５ｂと、表面及び裏面で異なる倍率での読取処理が可能な第１モード、または、表面及び裏面で同じ倍率でしか読取処理が行えない第２モードのいずれかに切り換えるモード切換キー５ｃとを有する。なお、倍率設定キー５ｂでは、両面読取モード時にあって、表面と裏面とで独立的に倍率を設定することが可能である。但し、モード切換キー５ｃによって、第２モードに切り換えられている場合には、表面と裏面とでの異なる倍率の設定は無効となる。なお、表示部４をタッチパネル方式とすることにより、操作部５の各種のキーの内の一部または全部を代用することも可能である。
【００２３】
符号化・復号化部６は、画像データを符号化圧縮すると共に、符号化圧縮されている画像データを復号する。ＲＯＭ７は、ファクシミリ複合装置１００の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、原稿を読み取って符号化した画像データ、他のファクシミリ装置またはＰＣから受信して符号化した画像データなどを蓄積する。
【００２４】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、公衆電話回線網（ＰＳＴＮ：Public Switched Telephone Network)との回線Ｌ１の閉結及び開放の動作を行うハードウェアであり、必要に応じてモデム１０をＰＳＴＮと接続する。そして、ファクシミリ複合装置１００は、ＰＳＴＮによって他のファクシミリ装置と接続されており、通常のファクシミリ通信が行えるようになっている。
【００２５】
ＰＣインタフェース部１２は、ＬＡＮ等の通信線Ｌ２を介して外部のＰＣに接続されており、ＰＣとの間でデータのやりとりを行う。そして、外部のＰＣで作成・編集された各種の画像データが通信線Ｌ２を介してファクシミリ複合装置１００（ＰＣインタフェース部１２）へ送信され、送信された画像データに応じた画像がファクシミリ複合装置１００（記録部３）にて用紙にプリントアウトされるようになっている。
【００２６】
本発明のファクシミリ複合装置１００では、ユーザによる読取モード選択キー５ａの選択操作によって、片面読取モードまたは両面読取モードのいずれかが選ばれ、片面読取モードが選択された場合には、読取部２にて原稿の表面の画像のみが読み取られ、両面読取モードが選択された場合には、読取部２にて原稿の表面及び裏面の画像が読み取られる。そして、原稿の両面（表面及び裏面）の画像が読み取られる場合、ユーザによるモード切換キー５ｃの切換操作によって第１モードに切り換えられているときには、ユーザによる倍率設定キー５ｂの設定操作によって設定された表面及び裏面の夫々の倍率に応じた読取処理が行われる。一方、原稿の両面（表面及び裏面）の画像が読み取られる場合であって、ユーザによるモード切換キー５ｃの切換操作によって第２モードに切り換えられているときには、原稿の表面及び裏面に対して同じ倍率に応じた読取処理が行われる。この同じ倍率は、予め設定しておいた所定の倍率であっても良いし、ユーザが設定するようにしても良い。
【００２７】
以下、動作について説明する。図３は、本発明のファクシミリ複合装置１００における原稿画像の読取処理の動作手順を示すフローチャートである。
【００２８】
まず、制御部１は、両面読取モードが選択されているか否かを判断する（ステップＳ１）。両面読取モードが選択されていない場合、即ち片面読取モードが選択されている場合（Ｓ１：ＮＯ）、制御部１は、倍率設定キー５ｂで設定されている倍率（等倍の場合もあり）に応じた解像度に基づく原稿の搬送速度（レジストローラ２５の回転速度）を決定する（ステップＳ１３）。そして、その搬送速度に基づく制御信号を制御部１からモータ３０に送ってレジストローラ２５の回転を制御し、原稿の表面の画像の読取処理を実行する（ステップＳ１４）。読取処理で得られた画像データは、符号化・復号化部６で符号化された後、画像メモリ９に蓄積されて（ステップＳ１５）、動作は終了する。
【００２９】
両面読取モードが選択されている場合（Ｓ１：ＹＥＳ）、制御部１は、第１モードに切り換えられているか否かを判断する（ステップＳ２）。第１モードに切り換えられている場合（Ｓ２：ＹＥＳ）、制御部１は、倍率設定キー５ｂで設定されている表面の倍率と裏面の倍率とが等しいか否かを判断する（ステップＳ３）。
【００３０】
表面の倍率と裏面の倍率とが異なる場合（Ｓ３：ＮＯ）、制御部１は、表面の倍率に応じた解像度と裏面の倍率に応じた解像度との最小公倍数の解像度を求め、求めた解像度に基づく原稿の搬送速度（レジストローラ２５の回転速度）を決定する（ステップＳ４）。例えば、表面の倍率に応じた解像度が３００ｄｐｓ（Dot Per Second）、裏面の倍率に応じた解像度が２００ｄｐｓである場合（第１例）、両解像度の最小公倍数である６００ｄｐｓに基づいて原稿の搬送速度を決定する。また、表面の倍率に応じた解像度が３００ｄｐｓ、裏面の倍率に応じた解像度が１００ｄｐｓである場合（第２例）、両解像度の最小公倍数である３００ｄｐｓに基づいて原稿の搬送速度を決定する。
【００３１】
そして、その決定した搬送速度に基づく制御信号を制御部１からモータ３０に送ってレジストローラ２５の回転を制御し、原稿の表面の画像及び裏面の画像の読取処理を実行する（ステップＳ５）。次いで、読取処理で得られた表面の画像データ及び裏面の画像データの少なくとも一方に対して、夫々の倍率に応じたライン間引き処理（解像度変換処理）を施す（ステップＳ６）。例えば、上記第１例では、表面の画像データでは１ラインおきに間引きを行い、裏面の画像データでは３ライン毎に２ラインの間引きを行う。上記第２例では、表面の画像データに対しては間引きを行わず、裏面の画像データのみ３ライン毎に２ラインの間引きを行う。間引き処理された画像データは、符号化・復号化部６で符号化された後、画像メモリ９に蓄積されて（ステップＳ７）、動作は終了する。このようにして、本発明では、簡単な処理により、表面の画像及び裏面の画像を夫々所望の倍率で読み取ることができる。
【００３２】
表面の倍率と裏面の倍率とが等しい場合（Ｓ３：ＹＥＳ）、制御部１は、その等しい倍率に応じた解像度に基づく原稿の搬送速度（レジストローラ２５の回転速度）を決定する（ステップＳ８）。そして、その決定した搬送速度に基づく制御信号を制御部１からモータ３０に送ってレジストローラ２５の回転を制御し、原稿の表面の画像及び裏面の画像の読取処理を実行する（ステップＳ９）。読取処理で得られた画像データは、符号化・復号化部６で符号化された後、画像メモリ９に蓄積されて（ステップＳ１０）、動作は終了する。
【００３３】
一方、第１モードに切り換えられていない場合、即ち第２モードに切り換えられている場合（Ｓ２：ＮＯ）、制御部１は、所定の倍率に応じた解像度に基づいて予め決定されている原稿の搬送速度（レジストローラ２５の回転速度）に基づく制御信号を制御部１からモータ３０に送ってレジストローラ２５の回転を制御し、原稿の表面の画像及び裏面の画像の読取処理を実行する（ステップＳ１１）。読取処理で得られた画像データは、符号化・復号化部６で符号化された後、画像メモリ９に蓄積されて（ステップＳ１２）、動作は終了する。第２モードに切り換えられている場合には、倍率設定キー５ｂで設定されている倍率は無効であり、所定の等しい倍率で強制的に表面及び裏面の画像が読み取られる。よって、この場合には、モータ３０の最高速度で読取りが行えて、高速での読取処理が可能となる。
【００３４】
なお、上記例では、画像データのライン間引きによって解像度変換処理を行うようにしたが、これ以外の画像データ処理によって解像度変換を施すようにしても良い。
【００３５】
また、上記例では、第２モードに切り換えられている場合に、予め決められている所定の倍率に応じた両面の読取処理を行うようにしたが、この場合の両面で等しくする倍率をユーザによる倍率設定キー５ｂの操作によって設定するようにしても良い。
【図面の簡単な説明】
【００３６】
【図１】本発明のファクシミリ複合装置の構成を示すブロック図である。
【図２】本発明のファクシミリ複合装置の読取部の構成を示す概略図である。
【図３】本発明のファクシミリ複合装置における読取処理の動作手順を示すフローチャートである。
【符号の説明】
【００３７】
１  制御部
２  読取部
５  操作部
５ａ  読取モード選択キー
５ｂ  倍率設定キー
５ｃ  モード切換キー
７  ＲＯＭ
２０  ＡＤＦ
２５  レジストローラ
２９  原稿搬送路
３０  モータ
４０  第１光学ユニット
５０  第２光学ユニット
１００  ファクシミリ複合装置
【図１】
2005072760.tif 000003
【図２】
2005072760.tif 000004
【図３】
2005072760.tif 000005